(57)【要約】【課題】有料放送を視聴する電子機器を変更する場合には、その都度ユーザが契約済みＢＣＡＳカードの入れ換えを行わなければならず、利便性が悪いという問題がある。【解決手段】上記課題を解決するために、複数のＢＣＡＳカード（ＢＣＡＳカードと同等カードを含む。以下同じ。）用スロット（１１１１）と、複数のＢＣＡＳカード用スロットに挿入される各カードを、カードと同数の電子機器に１対１に切換接続するための切換スイッチ（１１１２）と、を有するＢＣＡＳカード用スロット装置（１１１０）を提供する。これにより、複数のデジタル放送対応機器間のＢＣＡＳカードの入れ換えが不要となる。また、本発明のＢＣＡＳカード用スロット装置を録画装置（１１３０）が有することにより、有料放送の録画を優先的に行うことができる。【選択図】図１１
2008022128.tif 000002
【特許請求の範囲】
【請求項１】
複数のＢＣＡＳカード（ＢＣＡＳカードと同等カードを含む。以下同じ。）用スロットと、
複数のＢＣＡＳカード用スロットに挿入される各カードを、カードと同数の電子機器に１対１に切換接続するための切換スイッチと、
を有するＢＣＡＳカード用スロット装置。
【請求項２】
請求項１に記載のＢＣＡＳカード用スロット装置と、
その切換スイッチと接続された電子機器としてのＢＣＡＳカード型プラグと、
からなるＢＣＡＳカードシステム。
【請求項３】
請求項２に記載のＢＣＡＳカードシステムと、
このＢＣＡＳカードシステムが有するＢＣＡＳカード型プラグ以外に電子機器としてさらに録画用ＢＣＡＳカード読取装置と、
を有する録画装置。
【請求項４】
録画予約管理部をさらに有し、
切換スイッチは、録画予約管理部にて管理されている録画予約情報に応じて切換接続を制御するための切換制御手段を有する請求項３に記載の録画装置。
【請求項５】
ＢＣＡＳカード型プラグを挿入可能なプラグ用スロットを有するディスプレイ装置と、
請求項３又は４に記載の録画装置と、
からなるＡＶシステム。
【請求項６】
ＢＣＡＳカード用スロットのいずれかに有料視聴契約済ＢＣＡＳカードを挿入し、他のＢＣＡＳカード用スロットに有料視聴未契約ＢＣＡＳカードを挿入した請求項５に記載のＡＶシステム。
【発明の詳細な説明】
【技術分野】
【０００１】
本発明は、デジタル放送視聴における視聴者の利便性を向上させるＢＣＡＳカード用スロット装置、ＢＣＡＳカードシステム、録画装置、及びＡＶシステムに関する。
【背景技術】
【０００２】
今日、デジタル放送の普及に伴い、デジタル放送受信機器も多種販売されている。そのため、各家庭においてもテレビジョン受像機とＤＶＤレコーダーなどのように、複数台のデジタル放送対応機器を有するようになってきている。また、デジタル放送受信には、有料・無料に関わらず、各デジタル放送対応機器につき１枚のＩＣカードが必要となる。このＩＣカードは、ＢＣＡＳ（ＢＳ  Ｃｏｎｄｉｔｉｏｎａｌ  Ａｃｃｅｓｓ  Ｓｙｓｔｅｍ）カードと呼ばれ、デジタル放送の視聴制限解除情報等が記録されている。デジタル放送対応機器は、ＢＣＡＳカードが挿入されていなければ、デジタル放送の視聴制限がされ、ＢＣＡＳカードを挿入した場合には、ＢＣＡＳカードの視聴制限解除情報を用いることにより、デジタル放送を視聴可能にする。
【０００３】
無料のデジタル放送の場合には、デジタル放送対応機器購入時に添付されているＢＣＡＳカードの挿入により視聴可能となるが、有料のデジタル放送の場合には、放送事業社やサービス提供事業者等との契約が必要となる。この契約を行うことにより、ＢＣＡＳカードに新たな制限解除情報が書き込まれ、契約済みのＢＣＡＳカードの挿入により有料デジタル放送の視聴が可能となる。また、その契約は、各ＢＣＡＳカードごとに必要となる。
【０００４】
したがって、有料のデジタル放送を視聴するためには、契約済みのＢＣＡＳカードの挿入が必要となる。そこで、特許文献１には、不特定のユーザが使用する施設内において各自のＢＣＡＳカードをも使用可能にする、カードスロットを複数有するデジタル放送受信装置が開示されている。これにより、ユーザのカードを優先的に選択してデジタル放送の視聴を可能としている。
【特許文献１】特開２００５−１６７９９３号公報
【発明の開示】
【発明が解決しようとする課題】
【０００５】
しかし、特許文献１に記載のデジタル放送受信装置は、同一装置内でのカードの選択を行うものであり、複数のデジタル放送対応機器を対象としたものではない。前述したように、有料のデジタル放送視聴のための契約は、各ＢＣＡＳカードごとに行うため、複数のデジタル放送対応機器を有している場合には、各ＢＣＡＳカードごとに契約を行うか、あるいは、ＢＣＡＳカードの入れ換えを行わなければならなかった。しかし、一家庭内にて使用するにも関わらず、複数のＢＣＡＳカードに対してすべて契約を行うことは、費用がかかりるため好ましいことではない。そのため、図１に示すように、ＢＣＡＳカードの入れ換えが行われることが多い。
【０００６】
図１においては、デジタル放送対応機器としてテレビジョン受像機（０１０１）と録画装置（０１０２）を有する場合を示しており、各装置はケーブル（０１０３）によって接続されている。ユーザは、ＡおよびＢの２枚のＢＣＡＳカードを有しており、有料放送視聴契約をＡのＢＣＡＳカードのみに行っているものとする。この場合に、テレビジョン受像機にて有料放送を視聴するためには、（１）に示すように、テレビジョン受像機のＢＣＡＳカードスロット（０１０４）にＡを挿入しなければならない。これにより、テレビジョン受像機（０１０１）により有料放送が視聴できる（０１０６）。しかし、このとき、録画装置（０１０２）においては、有料放送の録画は行うことができない（０１０７）（ただし、Ｂが挿入されていれば、無料放送の録画は可能。）。逆に、録画装置（０１０２）にて有料放送を視聴するためには、（２）に示すように、録画装置のＢＣＡＳカードスロット（０１０５）にＡを挿入しなければならない。こうすることにより、録画装置（０１０２）により有料放送が視聴できる（０１０９）。しかし、このとき、テレビジョン受像機（０１０１）において、有料放送の視聴を行うことはできない（０１０８）（ただし、Ｂが挿入されていれば、無料放送の視聴は可能。）。
【０００７】
このように、有料放送を視聴する電子機器を変更する場合には、その都度ユーザが契約済みＢＣＡＳカードの入れ換えを行わなければならず、利便性が悪いという問題がある。また、今後のデジタル放送の普及とともに、さらに顕著化する恐れが高い。
【課題を解決するための手段】
【０００８】
上記課題を解決するために、第一発明は、複数のＢＣＡＳカード（ＢＣＡＳカードと同等カードを含む。以下同じ。）用スロットと、複数のＢＣＡＳカード用スロットに挿入される各カードを、カードと同数の電子機器に１対１に切換接続するための切換スイッチと、を有するＢＣＡＳカード用スロット装置を提供する。第二発明は、第一発明に記載のＢＣＡＳカード用スロット装置と、その切換スイッチと接続された電子機器としてのＢＣＡＳカード型プラグと、からなるＢＣＡＳカードシステムを提供する。第三発明は、第二発明に記載のＢＣＡＳカードシステムと、このＢＣＡＳカードシステムが有するＢＣＡＳカード型プラグ以外に電子機器としてさらに録画用ＢＣＡＳカード読取装置と、を有する録画装置を提供する。また、第四発明は、録画予約管理部をさらに有し、切換スイッチが、録画予約管理部にて管理されている録画予約情報に応じて切換接続を制御するための切換制御手段を有する第三発明に記載の録画装置を提供する。さらに、第五発明は、ＢＣＡＳカード型プラグを挿入可能なプラグ用スロットを有するディスプレイ装置と、第三又は第四発明に記載の録画装置と、からなるＡＶシステムを提供する。また、第六発明は、ＢＣＡＳカード用スロットのいずれかに有料視聴契約済ＢＣＡＳカードを挿入し、他のＢＣＡＳカード用スロットに有料視聴未契約ＢＣＡＳカードを挿入した第五発明に記載のＡＶシステムを提供する。
【発明の効果】
【０００９】
以上のような構成をとる本発明によって、複数のデジタル放送対応機器間のＢＣＡＳカードの入れ換えが不要となる。これにより、複数のＢＣＡＳカードに対して有料視聴契約を行うことなく、一の有料放送契約済ＢＣＡＳカードのみによって、複数のデジタル放送対応機器にて、有料放送の視聴等が可能となる。また、本発明のＢＣＡＳカード用スロット装置を録画装置が有することにより、有料放送の録画を優先的に行うことができる。
【発明を実施するための最良の形態】
【００１０】
以下に図面を用いて本発明の実施の形態を説明する。なお、本発明は、これらの実施の形態に限定されるものではなく、その要旨を逸脱しない範囲において、種々なる態様で実施しうる。なお、実施形態１は、主に請求項１について説明する。実施形態２は、主に請求項２について説明する。実施形態３は、主に請求項３について説明する。実施形態４は、主に請求項４について説明する。実施形態５は、主に請求項５、６について説明する。
【００１１】
<<実施形態１>>
<実施形態１の概要>
本実施形態は、複数のＢＣＡＳカード用スロットを有し、ＢＣＡＳカードと電子機器を１対１に切換接続することのできるＢＣＡＳカード用スロット装置に関する。
【００１２】
<実施形態１の構成>
図２に本実施形態の機能ブロックの一例を示した。本実施形態の「ＢＣＡＳカード用スロット装置」（０２１０）は、複数の「ＢＣＡＳカード用スロット」（０２１１）と、「切換スイッチ」（０２１２）とを有する
「ＢＣＡＳカード用スロット」（０２１１）には、ＢＣＡＳカード（ＢＣＡＳカードと同等カードを含む。以下同じ。）（０２０１）が挿入される。ＢＣＡＳカードとは、前述したように、デジタル放送の視聴解除情報等を記録したＩＣカードである。ＢＣＡＳカードは、通常のデジタル放送（コピーワンス放送）の暗号管理、有料放送（ペイ・パー・ビュー放送）の課金管理、ＮＨＫのＢＳ受信料支払いメッセージの表示管理、双方向データサービスの個人情報の識別管理等を行っている。また、「ＢＣＡＳカードと同等カード」とは、上記ＢＣＡＳカードの機能と同一又は類似の機能を有するＩＣカードをいう。図３（１）は、ＢＣＡＳカードの挿入前（ａ）及び挿入後（ｂ）のＢＣＡＳカード用スロット装置を示している。図に示すように、本発明のＢＣＡＳカード用スロット装置（０３１０）は、複数のＢＣＡＳカード用スロット（０３１１）を備えることを特徴とする。この図においては、２つのスロットを有する場合を示しているが、３以上であっても構わない。また、図３（１）に記載のＢＣＡＳカード用スロット装置は、ＢＣＡＳカードを挿入・抜出しやすいようにスロットの開口部が一部窪んだ形状としているが、ＢＣＡＳカードを挿入・抜出することのできる形状であればよい。図３（２）は、図３（１）に示すＢＣＡＳカード用スロット装置の、ＢＣＡＳカードが２枚挿入された状態のＸ−Ｘ'断面の概略図である。ＢＣＡＳカード用スロット（０３１１）は、ＢＣＡＳカード（０３０１）の視聴解除情報等の記録されたＩＣモジュール（０３０２）の対応する位置に接続端子（０３１３）を有しており、切換スイッチ（０３１２）を介して電子機器との情報のやり取りを行うことができるように構成されている。
【００１３】
「切換スイッチ」（０２１２）は、複数のＢＣＡＳカード用スロット（０２１１）に挿入される各カード（０２０１）を、カードと同数の電子機器（０２０２）に１対１に切換接続するように構成されている。電子機器は、デジタル放送用チューナーを備える機器であればよく、例えば、デジタルチューナー装置やデジタル放送受信用チューナーを備えるテレビジョン受像機、ＤＶＤレコーダ、パーソナルコンピュータなどが該当する。図４は、切替スイッチの構成の一例を示している。図に示すＢＣＡＳカード用スロット装置（０４１０）は、２つのＢＣＡＳカード用スロット（０４１１Ａ、０４１１Ｂ）を有しており、２つの電子機器（０４０２Ａ、０４０２Ｂ）に接続されている。切換スイッチがａに接続している場合には、ＢＣＡＳカード用スロットＡ（０４１１Ａ）は電子機器Ａ（０４０２Ａ）に接続され、ＢＣＡＳカード用スロットＢ（０４１１Ｂ）は電子機器Ｂ（０４０２Ｂ）に接続される。また、切換スイッチがｂに接続している場合には、ＢＣＡＳカード用スロットＡは電子機器Ｂに接続され、ＢＣＡＳカード用スロットＢは電子機器Ａに接続される。このように切換スイッチを切り換えることにより、ＢＣＡＳカード用スロットと電子機器の接続関係を変更することができる。切換スイッチの切換は、電子機器の電源投入状況や選局状況、接続されている電子機器の種類などに基づき、デフォルトで設定してもよいし、インターフェイスを介したユーザによる入力操作により制御されるようにしてもよい。
【００１４】
例えば、電子機器のチューナーの種類に応じて切換接続を行う場合には、切換スイッチは、電子機器からチューナーの種類を示す情報に基づき、チューナーの種類に対応したＢＣＡＳカードを接続するように制御することができる。具体的には、地上デジタル放送専用のチューナーを有する電子機器である場合には、ＢＳ・ＣＳ・地上デジタル放送共通のＢＣＡＳカードを接続してもＢＳ・ＣＳデジタル放送は視聴できないため、地上デジタル放送専用のＢＣＡＳカードの挿入されているＢＣＡＳカード用スロットを接続する。また、電子機器がＢＳ・ＣＳ・地上デジタル放送共通のチューナーを有している場合には、ＢＳ・ＣＳ・地上デジタル放送共通のＢＣＡＳカードの挿入されているＢＣＡＳカード用スロットを接続する。このような切換スイッチの切換制御は、ＢＣＡＳカードの種類とチューナーの種類を対応付けたテーブルに基づいて制御されるようにすることにより、達成することができる。
【００１５】
図５は、本実施形態のＢＣＡＳカード用スロット装置のハードウエア構成の一例を示している。ＢＣＡＳカード用スロット装置は、「ＣＰＵ」（０５０１）、「ＲＯＭ」（０５０２）、「ＲＡＭ」（０５０３）、「Ｉ／Ｏ」（０５０４）などから構成され、「システムバス」（０５０６）などのデータ通信経路によって他の構成とは相互に接続され、情報の送受信や処理を行う。また、Ｉ／Ｏに「切換スイッチ」（０５０５）が接続されており、「ＢＣＡＳカード用スロットＡ」（０５０７）及び「ＢＣＡＳカード用スロットＢ」（０５０８）と、電子機器（０５１１、０５１２）に接続されている。ここで、電子機器Ａ（０５１１）は地上デジタル放送専用のチューナーを有する電子機器であり、電子機器Ｂ（０５１２）はＢＳ・ＣＳ・地上デジタル放送共通のチューナーを有している電子機器であるとする。この場合に、一例として、地上デジタル放送専用のＢＣＡＳカードａ（０５０９）とＢＳ・ＣＳ・地上デジタル放送共通のＢＣＡＳカードｂ（０５１０）の２種類のＢＣＡＳカードが挿入された場合に、電子機器の種類により、切換スイッチの切換接続を行う場合を説明する。
【００１６】
まず、電子機器の接続が行われた時点で、電子機器のデジタル放送チューナーの情報を取得し、ＲＡＭ（０５０３）の所定のアドレスに格納しておく。また、ＢＣＡＳカード用スロット（０５０７、０５０８）がＢＣＡＳカード（０５０９、０５１０）への挿入をスイッチ動作などにより検知した時、ＣＰＵ（０５０１）は、ＢＣＡＳカードの種類情報を読み取りＲＡＭに格納する。次に、ＣＰＵは、ＲＯＭ（０５０２）の所定のアドレスに記録されている接続切換プログラムを起動し、ＲＯＭからＢＣＡＳカードの種類情報とチューナー情報とを対応付けたテーブルをＲＡＭ（０５０３）に読み込む。そして、ＲＡＭに読み込まれたテーブルに基づいて、ＢＣＡＳカード用スロットと電子機器との接続を行う。例えば、地上デジタル放送専用のＢＣＡＳカードａ（０５０９）がＢＣＡＳカード用スロットＡ（０５０７）に挿入され、ＢＳ・ＣＳ・地上デジタル放送共通のＢＣＡＳカードｂ（０５１０）がＢＣＡＳカード用スロットＢ（０５０８）に挿入されたことを検知した場合には、ＢＣＡＳカード用スロットＡと電子機器Ａ（０５１１）と接続され、ＢＣＡＳカード用スロットＢと電子機器Ｂ（０５１２）と接続される。また、挿入されているＢＣＡＳカードが一である場合には、優先的に接続する電子機器を定めておいてもよい。さらに、電子機器が一のみである場合には、優先的に接続するＢＣＡＳカードの種類又はＢＣＡＳカード用スロットを定めておくようにしてもよい。
【００１７】
以上の処理は、計算機に実行させるためのプログラムで実行させることができ、また、このプログラムを計算機によって読み取り可能な記録媒体に記録することができる（本明細書の全体を通して同様である。）。
【００１８】
<実施形態１の効果>
本実施形態のＢＣＡＳカード用スロット装置によれば、複数のＢＣＡＳカード用スロットを有しているため、電子機器ごとにＢＣＡＳカードを挿入する必要がなく、一括して管理することができる。
【００１９】
<<実施形態２>>
<実施形態２の概要>
本実施形態は、実施形態１のＢＣＡＳカード用スロット装置を基本とし、切換スイッチに接続される電子機器の一がＢＣＡＳカード型プラグであるＢＣＡＳカードシステムに関する。
【００２０】
<実施形態２の構成>
図６に本実施形態の機能ブロックの一例を示した。本実施形態の「ＢＣＡＳカードシステム」（０６２０）は、「ＢＣＡＳカード用スロット装置」（０６１０）と、「ＢＣＡＳカード型プラグ」（０６２１）とを有する。本実施形態の「ＢＣＡＳカード用スロット装置」（０６１０）は、実施形態１と同じ構成、すなわち、複数の「ＢＣＡＳカード用スロット」（０６１１）と、「切換スイッチ」（０６１２）を有する。ＢＣＡＳカード用スロット装置の各構成の説明は実施形態１にて説明したため、本実施形態においては説明を省略する。
【００２１】
「ＢＣＡＳカード型プラグ」（０６２１）は、ＢＣＡＳカード用スロット装置（０６２０）の切換スイッチ（０６２１）と接続される電子機器としての接続端子である。「ＢＣＡＳカード型」とは、ＢＣＡＳカードと同様の形状を有していることをいう。図７は、ＢＣＡＳカード型プラグの一例であり、（１）表面、及び（２）裏面を示している。ＢＣＡＳカード型プラグ（０７２１）は、ＢＣＡＳカードと同様に、プラスチックなどにより形成され、ＩＣモジュール（０７２３）を有する。また、切換スイッチとは、情報の送受信を行うことのできる同軸ケーブル等（０７２２）により接続される。ＢＣＡＳカードから取り出した情報は、ＢＣＡＳカード用スロット装置を介して、ＢＣＡＳカード型プラグのＩＣモジュールにそのまま伝達される。したがって、ＩＣモジュールは、データの入出力を行うＩ／Ｏ機能のみを備えていればよい。そして、ＢＣＡＳカード型プラグの接続端子の位置をＢＣＡＳカードの接続端子の位置と同位置とすることにより、デジタル放送対応機器に本来設けられているＢＣＡＳカードスロットに挿入でき、データの送受信が可能となる。なお、図７に示すＢＣＡＳカード型プラグの表面の矢印模様及びケーブルとの接続形状は一例であり、これに限られない。
【００２２】
<実施形態２の効果>
本実施形態のＢＣＡＳカードシステムによれば、ＢＣＡＳカード型プラグを有しているため、別途接続端子を用いることなく、従来の電子機器に設けられているＢＣＡＳカード用スロットを介して接続を行うことができる。
【００２３】
<<実施形態３>>
<実施形態３の概要>
本実施形態は、実施形態２に記載のＢＣＡＳカードシステムを有する録画装置に関する。ディスプレイ装置等の録画装置以外の電子機器が、ＢＣＡＳカードシステムを有していてもよいが、それらの電子機器は電源ＯＦＦとされることがあり、他の電子機器においてＢＣＡＳカード用スロット装置を使用したい場合には、使用しない電子機器を起動しなければならず効率的でない。それに対し、録画装置は予約録画等を行うため、完全に電源ＯＦＦ状態とされず、少なくとも待機電力が供給されていることが多い。したがって、本実施形態のように、録画装置がＢＣＡＳカードシステムを有することが、ＢＣＡＳカードシステムの制御を行う上で好ましい。
【００２４】
<実施形態３の構成>
図８に本実施形態での機能ブロックの一例を示した。本実施形態の「録画装置」（０８３０）は、「ＢＣＡＳカードシステム」（０８２０）と、「録画用ＢＣＡＳカード読取装置」（０８３１）とを有する。本実施形態の「ＢＣＡＳカードシステム」（０８２０）は、実施形態２と同じ構成、すなわち、複数の「ＢＣＡＳカード用スロット」（０８１１）と「切換スイッチ」（０８１２）を有する「ＢＣＡＳカード用スロット装置」（０８１０）と、「ＢＣＡＳカード型プラグ」（０８２１）とを有する。ＢＣＡＳカードシステムの各構成の説明は実施形態１及び２にて説明したため、本実施形態においては説明を省略する。
【００２５】
「録画用ＢＣＡＳカード読取装置」（０８３１）は、ＢＣＡＳカードシステム（０８２０）が有するＢＣＡＳカード型プラグ（０８２１）以外の電子機器であり、ＢＣＡＳカード用スロット装置（０８１０）の切換スイッチ（０８１２）と接続される。録画用ＢＣＡＳカード読取装置は、ＣＰＵ、ＲＯＭ、ＲＡＭ、Ｉ／Ｏなどから構成され、録画装置においてデジタル放送を視聴可能な状態にて録画するために必要なＢＣＡＳカードのＩＤや、有料放送等を視聴するため制限解除情報等をＢＣＡＳカードから読み取るように構成されている。録画装置は、読み取った情報を用いて受信信号の視聴制限を解除処理や、復号化処理を行うことにより、デジタル放送の録画を可能とする。
【００２６】
本実施形態の切換スイッチの切換接続は、例えば、録画装置のデジタル放送の選局に応じて行うことができる。具体的には、切換スイッチは、録画装置の選局情報を取得し、有料視聴契約が必要なチャンネルである場合には、有料視聴契約済ＢＣＡＳカードが挿入されているＢＣＡＳカード用スロットと録画用ＢＣＡＳカード読取装置とを接続するようにすることを最優先に切換接続を行う。その後、ＢＣＡＳカード型プラグの接続されている電子機器において有料視聴契約の必要なチャンネルが選択されたとしても、切換スイッチの切換接続は行わないようにする。これにより、契約を必要とする放送の録画を確実に行うことができる。上記以外の場合、すなわち切換スイッチの取得した録画装置の選局情報が、有料視聴契約が必要なチャンネルでない場合には、有料視聴契約済ＢＣＡＳカードが挿入されているＢＣＡＳカード用スロットとＢＣＡＳカード型プラグとの接続を維持する。
【００２７】
<実施形態３の効果>
本実施形態の録画装置は、ＢＣＡＳカードシステムを有しているため、後日視聴しようと録画操作を行ったにも関わらず、録画できていないといったことがなく、録画装置における録画を確実に行うことができる。
【００２８】
<<実施形態４>>
<実施形態４の概要>
本実施形態は、録画予約情報に応じてＢＣＡＳカード用スロットと電子機器との接続切換を行うことのできる録画装置に関する。
【００２９】
<実施形態４の構成>
図９に本実施形態での機能ブロックの一例を示した。本実施形態の「録画装置」（０９３０）は、実施形態３を基本とし、「ＢＣＡＳカードシステム」（０９２０）と、「録画用ＢＣＡＳカード読取装置」（０９３１）と、「録画予約管理部」（０９３２）とを有し、さらに切換スイッチは「切換制御手段」（０９１３）を有することを特徴とする。
【００３０】
「録画予約管理部」（０９３２）は、デジタル放送の録画予約情報を管理するように構成されている。「録画予約情報」とは、ユーザによる入力や、ＥＰＧ（Ｅｌｅｃｔｒｏｎｉｃ  Ｐｒｏｇｒａｍ  Ｇｕｉｄｅ）などから取得される番組録画のための情報であり、録画の日時、チャンネル、番組名等の録画に関する情報である。例えば、２００６年７月１４日（金）、１９：００から２１：００まで、ＷＯＷＷＯＷ、を録画するといった情報である。録画予約管理部は、ＣＰＵ、ＲＯＭ、ＲＡＭ、ＨＤＤ、Ｉ／Ｏなどから構成される。
【００３１】
「切換制御手段」（０９１３）は、切換スイッチ（０９１２）の有する手段であり、録画予約管理部（０９３２）にて管理されている録画予約情報に応じて切換接続を制御するように構成されている。具体的には、切換制御手段は、録画予約情報を取得し、録画予約情報に有料視聴契約が必要なチャンネルが含まれている場合には、有料視聴契約の必要な番組の録画予約時間は、有料視聴契約済ＢＣＡＳカードが挿入されているＢＣＡＳカード用スロットと録画用ＢＣＡＳカード読取装置とを接続するようにすることを最優先に切換接続を行うように制御する。その後、ＢＣＡＳカード型プラグの接続されている電子機器において有料視聴契約の必要なチャンネルが選択されたとしても、切換スイッチの切換接続は行わないようにする。これにより、契約を必要とする放送の予約録画を確実に行うことができる。上記以外の場合、すなわち切換制御手段の取得した録画予約情報が有料視聴契約が必要なチャンネルを含んでいない場合には、有料視聴契約済ＢＣＡＳカードが挿入されているＢＣＡＳカード用スロットとＢＣＡＳカード型プラグとの接続維持する。
【００３２】
<実施形態４の効果>
本実施形態の録画装置によれば、録画装置の録画予約情報に応じて切換接続を行うため、録画装置における録画を確実に行うことができる。
【００３３】
<<実施形態５>>
<実施形態５の概要>
本実施形態は、図１０に示すように、ＢＣＡＳカード用スロット装置を有する録画装置（１００２）と、ディスプレイ装置（１００１）とを有するＡＶシステムに関する。複数のＢＣＡＳカード（図においてはＡ及びＢの２枚）が、ＢＣＡＳカード用スロット（１００５）に挿入され、ＢＣＡＳカード型プラグ（１００６）がディスプレイ装置のプラグ用スロット（１００４）に挿入されることにより、録画装置とディスプレイ装置とが接続されている。本実施形態のＡＶシステムは、有料放送の録画を優先するように、切換スイッチの切換を行うことを特徴とする。すなわち、録画装置にて録画を行っていない場合には、（１）に示すように、ディスプレイ装置に有料視聴契約済ＢＣＡＳカードを接続することにより、ディスプレイ装置において有料放送を視聴可能とする（１００７）。しかし、録画装置において有料放送を録画する場合には、（２）に示すように、有料視聴契約済ＢＣＡＳカードは、録画用ＢＣＡＳカード読取装置に接続され、有料放送の録画を可能とする（１００９）。
【００３４】
<実施形態５の構成>
図１１に本実施形態での機能ブロックの一例を示した。本実施形態の「ＡＶシステム」（１１５０）は、「ディスプレイ装置」（１１４０）と、実施形態３に記載の「録画装置」（１１３０）とを有する。
【００３５】
「ディスプレイ装置」（１１４０）は、ＢＣＡＳカード型プラグ（１１２１）を挿入可能なプラグ用スロット（１１４１）を有するように構成されている。「プラグ用スロット」（１１４１）は、ＢＣＡＳカードスロットと共有であってもよいし、ＢＣＡＳカードスロットとは別に設けてもよい。プラグ用スロットは、通常のデジタル放送対応機器に搭載されているＣＰＵ、ＲＯＭ、ＲＡＭ、Ｉ／ＯなどからなるＢＣＡＳカードスロットと同じ構成を有する。そして、ＢＣＡＳカード型プラグの接続端子を介して、録画装置のＢＣＡＳカード用スロット装置に挿入されたＢＣＡＳカード内の情報を読み取ることができるように構成されている。これにより、ディスプレイ装置は、読み取った情報を用いて受信信号のデスクランブル処理等を行うことができ、デジタル放送の視聴が可能となる。
【００３６】
次に、本実施形態のＡＶシステムにおけるＢＣＡＳカードの接続切換について、図１２に示す構成のＡＶシステムを例に説明する。図に示す録画装置は、２つのＢＣＡＳカード用スロット（１２１１）を有しており、一のＢＣＡＳカード用スロットには有料視聴契約済ＢＣＡＳカード（Ｘ）が、他方には有料視聴未契約ＢＣＡＳカード（Ｙ）が挿入される。したがって、有料視聴契約済ＢＣＡＳカード（Ｘ）が接続された電子機器では、有料のデジタル放送が視聴（録画）可能となるが、接続されていない電子機器では、該放送を視聴（録画）することができない。切換スイッチ（１２１２）は、図４と同じ構成であり、録画用ＢＣＡＳカード読取装置（１２３１）とＢＣＡＳカード型プラグ（１２２１）との接続切換を行うものとする。また、切換スイッチは、切換制御手段（１２１３）により録画予約管理部（１２３２）の録画予約管理情報に基づいて、図１３（１）に示すように接続切換を行う。録画装置において契約の必要な放送の録画予約がされている場合、すなわち録画予約管理部において録画要放送録画予約ありとの録画予約管理情報を有する場合には、<１>に示すように、切換スイッチは、有料視聴契約済ＢＣＡＳカード（Ｘ）の挿入されているＢＣＡＳカード用スロットと録画用ＢＣＡＳカード読取装置が接続されるように、切換接続を行う。これにより、図１３（２）<１>に示すように、録画装置は契約要放送の録画可能となり、一方、ディスプレイ装置は契約否放送（無料放送）の視聴のみが可能となる。また、録画装置において契約の必要な放送の録画予約がされていない場合、すなわち録画予約管理部において録画要放送録画予約なしとの録画予約管理情報を有する場合には、図１３（１）<２>に示すように、切換スイッチは、有料視聴契約済ＢＣＡＳカード（Ｘ）の挿入されているＢＣＡＳカード用スロットとＢＣＡＳカード用プラグが接続されるように、切換接続を行う。これにより、図１３（２）<２>に示すように、録画装置は契約否放送の録画のみ可能となり、一方、ディスプレイ装置は契約要放送及び契約否放送の視聴が可能となる。
【００３７】
<実施形態５の処理の流れ>
図１４は、本実施形態の切換スイッチの処理の流れの一例を示している。まず、有料視聴契約済ＢＣＡＳカードの挿入されたＢＣＡＳカード用スロットとＢＣＡＳカード型プラグとを接続する（Ｓ１４０１）。次に、契約要放送の録画予約時間かどうかを判断し（Ｓ１４０２）、録画予約時間である場合には（Ｓ１４０２ＹＥＳ）、有料視聴契約済ＢＣＡＳカードの挿入されたＢＣＡＳカード用スロットと録画用ＢＣＡＳカード読取装置とを接続する（Ｓ１４０３）。そして、録画予約時間が終了した場合には（Ｓ１４０４ＹＥＳ）、再度Ｓ１４０１に戻り、有料視聴契約済ＢＣＡＳカードの挿入されたＢＣＡＳカード用スロットとＢＣＡＳカード型プラグとを接続する。また、契約要放送の録画時間でない場合にも（Ｓ１４０２ＮＯ）、Ｓ１４０１に戻り、有料視聴契約済ＢＣＡＳカードの挿入されたＢＣＡＳカード用スロットとＢＣＡＳカード型プラグとの接続を維持する。
【００３８】
<実施形態５の効果>
本実施形態のＡＶシステムによれば、録画装置の契約要放送の録画を優先するように切換接続を制御することができる。これにより、録画予約を行っているにも係わらず、契約済ＢＣＡＳカードが接続されてないために録画することができないといったことがなく、確実に契約要放送の録画を行うことができる。また、契約要放送の録画予約がない場合には、ディスプレイ装置に契約済ＢＣＡＳカードが接続されるため、ディスプレイ装置においてすべての放送が視聴可能であり、ユーザが不便と感じることはない。
【図面の簡単な説明】
【００３９】
【図１】従来のデジタル放送対応機器による有料放送視聴の概略図
【図２】実施形態１を説明する機能ブロック図
【図３】ＢＣＡＳカード用スロット装置の一例を示す図
【図４】切換スイッチの一例を示す図
【図５】本実施形態のハードウエア構成の一例を示す図
【図６】実施形態２を説明する機能ブロック図
【図７】ＢＣＡＳカード型プラグの一例を示す図
【図８】実施形態３を説明する機能ブロック図
【図９】実施形態４を説明する機能ブロック図
【図１０】実施形態５を説明する概略図
【図１１】実施形態５を説明する機能ブロック図
【図１２】実施形態５を一例を示す機能ブロック図
【図１３】実施形態５の切換接続の一例を示す図
【図１４】実施形態５の処理の流れの一例を示す図
【符号の説明】
【００４０】
１１１０    ＢＣＡＳカード用スロット装置
１１１１    ＢＣＡＳカード用スロット
１１１２    切換スイッチ
１１１３    切換制御手段
１１２０    ＢＣＡＳカードシステム
１１２１    ＢＣＡＳカード型プラグ
１１３０    録画装置
１１３１    録画用ＢＣＡＳカード読取装置
１１３２    録画予約管理部
１１４０    ディスプレイ装置
１１４１    プラグ用スロット
１１５０    ＡＶシステム
【図１】
2008022128.tif 000003
【図２】
2008022128.tif 000004
【図３】
2008022128.tif 000005
【図４】
2008022128.tif 000006
【図５】
2008022128.tif 000007
【図６】
2008022128.tif 000008
【図７】
2008022128.tif 000009
【図８】
2008022128.tif 000010
【図９】
2008022128.tif 000011
【図１０】
2008022128.tif 000012
【図１１】
2008022128.tif 000013
【図１２】
2008022128.tif 000014
【図１３】
2008022128.tif 000015
【図１４】
2008022128.tif 000016